(57)【要約】【課題】  より簡単な構成により、見栄えのよい玩具体におけるカバー部材の動作構造および玩具体を提供する。【解決手段】  本発明に係る玩具体におけるカバー部材の動作構造は、第１の部材および第２の部材を互いに接近、離間可能となるように連結している連結部と、連結部に対向する位置に設けられるカバー部材と、を備えてなり、カバー部材は、第１の部材が第２の部材に対して接近したときには、第２の部材との接触により連結部に対して移動可能となっている。【選択図】  図４
2013005948.tif 000002
【特許請求の範囲】
【請求項１】
玩具体における第１の部材と第２の部材の間に介在されるカバー部材の動作構造であって、
前記第１の部材および前記第２の部材を互いに接近、離間可能となるように連結している連結部と、
連結部に対向する位置に設けられるカバー部材と、を備えてなり、
前記カバー部材は、前記第１の部材が前記第２の部材に対して接近したときには、前記第２の部材との接触により前記連結部に対して移動可能となっているものであることを特徴とする玩具体におけるカバー部材の動作構造。
【請求項２】
前記第１の部材と前記第２の部材が最も離間した状態のとき前記カバー部材の移動を制限可能な制限部材を有する請求項１記載の玩具体におけるカバー部材の動作構造。
【請求項３】
前記第１の部材と前記第２の部材が最も接近した状態のとき前記制限部材は前記カバー部材の移動を制限しないことを特徴とする請求項２記載の玩具体におけるカバー部材の動作構造。
【請求項４】
前記カバー部材には前記連結部と対向する位置に被係合部が設けられており、
前記制限部材は、前記第１の部材と前記第２の部材が最も離間した状態のとき、前記カバー部材の移動を制限可能なように前記被係合部と係合可能な係合部を有していることを特徴とする請求項２または３に記載の玩具体におけるカバー部材の動作構造。
【請求項５】
前記係合部は、前記第１の部材と前記第２の部材が最も離間した状態から接近していくに応じて前記被係合部から離間していくことを特徴とする請求項４記載の玩具体におけるカバー部材の動作構造。
【請求項６】
前記制限部材は、前記第２の部材に設けられていることを特徴とする請求項２乃至５のいずれか１項に記載の玩具体におけるカバー部材の動作構造。
【請求項７】
前記制限部材は、前記第１の部材に設けられていることを特徴とする請求項２乃至５のいずれか1項に記載の玩具体におけるカバー部材の動作構造。
【請求項８】
前記第１の部材の端部は、前記連結部にて前記第２の部材に対して第１の回動軸を介して連結されており、前記カバー部材は前記第１の回動軸に対して移動可能に取り付けられていることを特徴とする請求項１乃至７のいずれか１項に記載の玩具体におけるカバー部材の動作構造。
【請求項９】
前記カバー部材には前記第１の回動軸に嵌合する長穴が設けられており、前記カバー部材は、前記第１の部材が前記第２の部材に対して接近したときには、前記長穴の長さ方向に沿って移動可能となっているものであることを特徴とする請求項８記載の玩具体におけるカバー部材の動作構造。
【請求項１０】
前記カバー部材は前記第１の部材に取り付けられており、
前記第１の部材または前記カバー部材の少なくともいずれか一方には被係合部が設けられており、
前記制限部材は、前記第１の部材と前記第２の部材が最も離間した状態のとき、前記カバー部材の移動を制限可能なように前記被係合部と係合可能な係合部を有しており、
前記第１の部材は、前記第１の部材が前記第２の部材に対して接近したときには、前記カバー部材と前記第２の部材との接触により、前記カバー部材とともに前記連結部に対して移動可能となっていることを特徴する請求項２または３に記載の玩具体におけるカバー部材の動作構造。
【請求項１１】
前記係合部は、前記第１の部材と前記第２の部材が最も離間した状態から接近していくに応じて前記被係合部から離間していくことを特徴とする請求項１０記載の玩具体におけるカバー部材の動作構造。
【請求項１２】
前記制限部材は、前記第２の部材に設けられていることを特徴とする請求項１０乃至１１のいずれか１項に記載の玩具体におけるカバー部材の動作構造。
【請求項１３】
前記制限部材は、前記第１の部材に設けられていることを特徴とする請求項１０乃至１１のいずれか１項に記載の玩具体におけるカバー部材の動作構造。
【請求項１４】
前記第２の部材は、前記連結部として前記第１の部材の端部と回動可能に連結された中間部材と、その端部が前記中間部材に対して回動可能に連結された末端部材からなり、前記カバー部材は前記中間部材と対向する位置に設けられていることを特徴とする請求項１乃至１３のいずれか１項に記載の玩具体におけるカバー部材の動作構造。
【請求項１５】
請求項１乃至１４のいずれか１項に記載のカバー部材の動作構造を備えた玩具体。
【請求項１６】
前記玩具体は人形体であり、請求項１乃至１４のいずれか１項に記載の玩具体におけるカバー部材の動作構造が当該人形体の関節部に設けられていることを特徴とする請求項１５記載の玩具体。
【発明の詳細な説明】
【技術分野】
【０００１】
本発明は、玩具体におけるカバー部材の動作構造および玩具体に関するものである。
【背景技術】
【０００２】
従来より、玩具体におけるカバー部材の動作構造として、人形体の関節構造に設けられたカバー部材の動作構造が知られている。この人形体の関節構造は、連結機構をカバー部材で覆い、見栄えをよくしつつ、関節を曲げたとき、カバー部材が回動部品（中間部材や、第１の部材あるいは第２の部材）に干渉してしまい、十分な曲げ角が得られなくならないよう、関節を曲げても、カバー部材が回動部品に干渉しない関節構造が提案されている（たとえば、特許文献１参照）。
【０００３】
特許文献１に開示される関節構造では、人形体の大腿部と脛部との間に中間部材を設け、大腿部と中間部材を回動軸で連結し、膝部と中間部材を別の回動軸で連結する。
【０００４】
脛部の上部には、中間部材を覆う可動外装部品が設けられており、この可動外装部品は、リンク機構を介して中間部材に連結される。これにより、膝部が回動すると、リンク機構によって可動外装部品が変位するため、可動外装部品と膝部との干渉を防ぐことができる。
【０００５】
このような特許文献１の技術を用いれば、関節を曲げてもカバー部材が第１の部材あるいは第２の部材等の回動部品に干渉しない関節が得られる。
【先行技術文献】
【特許文献】
【０００６】
【特許文献１】特許第４６４１３２６号公報（第９図）
【発明の概要】
【発明が解決しようとする課題】
【０００７】
しかしながら、前述したような特許文献１の構造においては、複雑なリンク機構を必要とするため、部品点数が多く、組み立て工数も多い。
【０００８】
本発明は、上記の問題を鑑みてなされたものであり、より簡単な構成により、見栄えのよい玩具体のカバー部材の動作構造および玩具体を提供することを目的とする。
【課題を解決するための手段】
【０００９】
本発明は、玩具体における第１の部材と第２の部材の間に介在されるカバー部材の動作構造であって、前記第１の部材および前記第２の部材を互いに接近、離間可能となるように連結している連結部と、連結部に対向する位置に設けられるカバー部材と、を備えてなり、前記カバー部材は、前記第１の部材が前記第２の部材に対して接近したときには、前記第２の部材との接触により前記連結部に対して移動可能となっているものであることを特徴とする。
【００１０】
また、本発明に係る玩具体におけるカバー部材の動作構造は、前記第１の部材と前記第２の部材が最も離間した状態のとき前記カバー部材の移動を制限可能な制限部材を有するものとしても良い。
【００１１】
また、本発明に係る玩具体におけるカバー部材の動作構造は、前記第１の部材と前記第２の部材が最も接近した状態のとき前記制限部材は前記カバー部材の移動を制限しないようにしても良い。
【００１２】
また、本発明に係る玩具体におけるカバー部材の動作構造は、前記カバー部材には前記連結部と対向する位置に被係合部が設けられており、前記制限部材は、前記第１の部材と前記第２の部材が最も離間した状態のとき、前記カバー部材の移動を制限可能なように前記被係合部と係合可能な係合部を有しているようにしても良い。
【００１３】
また、本発明に係る玩具体におけるカバー部材の動作構造は、前記係合部は、前記第１の部材と前記第２の部材が最も離間した状態から接近していくに応じて前記被係合部から離間していくようにしても良い。
【００１４】
また、本発明に係る玩具体におけるカバー部材の動作構造は、前記制限部材は、前記第２の部材に設けられているようにしても良い。
【００１５】
また、本発明に係る玩具体におけるカバー部材の動作構造は、前記制限部材は、前記第１の部材に設けられているようにしても良い。
【００１６】
また、本発明に係る玩具体におけるカバー部材の動作構造は、前記第１の部材の端部は、前記連結部にて前記第２の部材に対して第１の回動軸を介して連結されており、前記カバー部材は前記第１の回動軸に対して移動可能に取り付けられているようにしても良い。
【００１７】
また、本発明に係る玩具体におけるカバー部材の動作構造は、前記カバー部材には前記第１の回動軸に嵌合する長穴が設けられており、前記カバー部材は、前記第１の部材が前記第２の部材に対して接近したときには、前記長穴の長さ方向に沿って移動可能となっているものであるようにしても良い。
【００１８】
また、本発明に係る玩具体におけるカバー部材の動作構造は、前記カバー部材は前記第１の部材に取り付けられており、前記第１の部材または前記カバー部材の少なくともいずれか一方には被係合部が設けられており、前記制限部材は、前記第１の部材と前記第２の部材が最も離間した状態のとき、前記カバー部材の移動を制限可能なように前記被係合部と係合可能な係合部を有しており、前記第１の部材は、前記第１の部材が前記第２の部材に対して接近したときには、前記カバー部材と前記第２の部材との接触により、前記カバー部材とともに前記連結部に対して移動可能となっているようにしても良い。
【００１９】
また、本発明に係る玩具体におけるカバー部材の動作構造は、前記係合部は、前記第１の部材と前記第２の部材が最も離間した状態から接近していくに応じて前記被係合部から離間していくようにしても良い。
【００２０】
また、本発明に係る玩具体におけるカバー部材の動作構造は、前記制限部材は、前記第２の部材に設けられているようにしても良い。
【００２１】
また、本発明に係る玩具体におけるカバー部材の動作構造は、前記制限部材は、前記第１の部材に設けられているようにしても良い。
【００２２】
また、本発明に係る玩具体におけるカバー部材の動作構造は、前記第２の部材は、前記連結部として前記第１の部材の端部と回動可能に連結された中間部材と、その端部が前記中間部材に対して回動可能に連結された末端部材からなり、前記カバー部材は前記中間部材と対向する位置に設けられているようにしても良い。
【００２３】
また、本発明は、以上述べてきた玩具体におけるカバー部材の動作構造を備えた玩具体である。
【００２４】
また、本発明に係る玩具体は、玩具体は人形体であり、以上述べてきた玩具体におけるカバー部材の動作構造が当該人形体の関節部に設けられているようにしても良い。
【発明の効果】
【００２５】
本発明は、上記の問題を鑑みてなされたものであり、より簡単な構成により、見栄えのよい玩具体におけるカバー部材の動作構造およびガンGぬ体を提供することができる。
【図面の簡単な説明】
【００２６】
【図１】本発明に係る玩具体の一例としての人形体の斜視図である。
【図２】本発明に係る玩具体の一例である人形体の脚部を背面側から見た斜視図である。
【図３】本発明に係るカバー部材の動作構造の一例である人形体の脚部関節部の分解斜視図である。
【図４】本発明に係るカバー部材の動作構造の一例である人形体の関節部断面図である。
【図５】第１のカバー部材および中間部材の斜視図である。
【図６】第３のカバー部材の構成例を説明する脚部の部分断面図である。
【図７】本発明に係るカバー部材の動作構造の一例である人形体の関節部の作用説明図であり、脚部が直立した状態を示す図である。
【図８】本発明に係るカバー部材の動作構造の一例である人形体の関節部の作用説明図であり、（Ａ）は中間部材の回動直後の状態を示す図、（Ｂ）は回動部品がカバー部材に当接した状態を示す図である。
【図９】本発明に係るカバー部材の動作構造の一例である人形体の関節部の作用説明図であり、第２の外装部材が反転した状態を示す図である。
【発明を実施するための形態】
【００２７】
以下、添付図面を参照して、本発明を実施するための形態（以下、実施形態）について詳細に説明する。なお、実施形態の説明の全体を通して同じ要素には同じ番号を付している。また、本実施形態においては、本発明に係る玩具体を人形体１０とし、また、本発明に係る玩具体におけるカバー部材の動作構造を、当該人形体１０の関節部に適用した例について説明する。
【００２８】
さて、図１に示すように、本実施形態にかかる人形体１０（本発明にいう玩具体）は、胴部１１と、頭部１２と、左右の腕部１３と、左右の脚部１４とからなる。本実施形態では、脚部１４の膝関節に、本発明に係る動作構造を適用した例を説明する。脚部１４は、大腿部となる第１の外装部材（第1の部材）２０と、脛部となる第２の外装部材（第２の部材における末端部材）３０と、第１の外装部材２０の端部と回動可能に連結されるとともに、前記第２の外装部材の端部とも回動可能に連結された中間部材４１とを備えている。ここで、第２の外装部材３０と中間部材４１により、本発明にいう第２の部材が構成されており、第１の部材（第１の外装部材２０）と第２の部材（第２の外装部材３０と中間部材４１）は、互いに接近、離間可能となるように連結されているになる。すなわち、第１の外装部材２０と、中間部材４１の連結部分が、本発明にいう連結部に相当する。
【００２９】
図２は、脚部１４を背面側から見た斜視図であり、図２に示すように、第１の外装部材２０は、球体関節１５を介して胴部１１（図１参照）と連結される。第１の部材（第１の外装部材２０）と第２の部材（第２の外装部材３０および中間部材４１）の間には、関節部４０が介在している。
【００３０】
すなわち、関節部４０は、本発明にいう連結部としての中間部材４１と、中間部材４１を覆う（すなわち、連結部と対向する位置に設けられた）第１のカバー部材（カバー部材）４２を備える。また、本実施形態においては、さらに第２のカバー部材４３を備えており、また、第２の外装部材３０の上部背面には、第３のカバー部材４４が設けられている。
【００３１】
次に、脚部１４の各部の構成を図３〜図５に基づいて詳細に説明する。
図３に示すように、第１の外装部材２０は、横断面が略Ｕ字状の大腿部本体２１と、大腿部本体２１に収納されて球体関節１５を回転自在に支持する球体支持部２２と、球体支持部２２に合わさる球体保持部２３とを備える。
【００３２】
また、第１の外装部材２０は、左右１対の上部連結体２４,２５を備える。上部連結体２４,２５の内面には、中間部材４１の位置を規制する円弧状の位置規制リブ２６が設けられる。また、一方の上部連結体２４の端部内面には、他方の上部連結体２５に向けて突出する第１の軸体（本発明にいう第１の回動軸）２７が設けられる。さらに、他方の上部連結体２５の端部内面には、第１の軸体２７の先端を支持する軸穴２８が設けられる。中間部材４１は、上部連結体２４,２５を、第１の軸体２７を介して回動可能に支持している。以上のとおり、第１の軸体２７、すなわち、第１の回動軸は、上部連結体２４，２５の端部内面、すなわち、第１の外装部材２０（本発明にいう第１の部材）の端部に設けられていることになる。また、中間部材４１、すなわち、第２の部材は、第１の軸体２７を回動可能に支持していることになるので、第１の部材の端部が、第２の部材に対して第１の回動軸を介して連結されていることになる。また、第１の軸体２７が存在する部分が、本発明にいう連結部になる。以上のとおりであるから、第１の部材の端部は、連結部にて第２の部材に対して第１の回動軸を介して連結されていることになる。
【００３３】
また、本実施形態においては、第１のカバー部材４２は、横断面が略円弧状に形成されており、第１の軸体２７に回動可能に取り付けられている。すなわち、第１のカバー部材４２は、前方に（すなわち、中間部材４１に向かって）突出した左右一対の端部４２ａを有しており、当該突出した左右の端部４２ａのそれぞれに形成された長穴４２ｂに、第１の軸体２７が長穴４２ｂに沿って移動可能に挿通されている。すなわち、カバー部材（第１のカバー部材４２）は、第１の回動軸（第１の軸体２７）に対して移動可能に取り付けられていることになり、カバー部材には第１の回動軸に嵌合する長穴（長穴４２ｂ）が設けられていることになる。また、長穴４２ｂは、脚部１４（図２参照）の長手方向に沿って形成されている。本実施形態においては、第１の軸体２７は、長穴４２ｂ、上部軸筒４１ｂ、そして軸穴２８に挿入された後、ビス５１で締結されている。
【００３４】
第２の外装部材３０は、略筒状の脛部本体３１と、当該脛部本体３１の上部に収納・固定された左右１対の下部連結体３２,３３を備える。一方の下部連結体３２の上端部内面には、他方の下部連結体３３に向けて突出する第２の軸体３４（第２の回動軸）が設けられる。他方の下部連結体３３の上端部内面には、第２の軸体３４の先端を支持する軸穴３５が設けられる。そして、第２の軸体３４は、中間部材４１に回動可能に軸支されている。前述の通り、第２の軸体３４は下部連結体３２,３３の上端部に存在するので、第２の外装部材３０、すなわち、末端部材の上端部は、中間部材４１に回動可能に連結されていることになる。
【００３５】
また、中間部材４１には第２のカバー部材４３（本発明にいうカバー部材とは異なる）が取り付けられている。より具体的には、第２のカバー部材４３は、横断面が略円弧状に形成されており、また、前方に（中間部材４１に向かう方向に）左右の端部４３ａが形成されている。そして、突出した左右の端部４３ａのそれぞれには軸穴４３ｂが形成されており、第２の軸体３４は、軸穴４３ｂと中間部材４１の下部軸筒４１ｃ、そして軸穴３５に挿入された後、ビス５１で締結される。このようにして、中間部材４１に第２のカバー部材４３は第２の軸体３４を介して取り付けられている。なお、本実施形態において、第２のカバー部材４３が中間部材４１に取り付けたとき、第２のカバー部材４３に設けられた係合段部（図示せず）は中間部材４１の下部軸筒４１ｃに設けられた被係合段部と契合するようになっており、そのため、第２のカバー部材４３は中間部材４１と一体となって第２の軸体３４周りを回動可能となっている。第２のカバー部材４３は中間部材４１と一体となっているので、第２のカバー部材４３も本発明にいう第２の部材の一部を構成している。
【００３６】
なお、第１・第２の外装部材２０,３０のそれぞれを構成する要素は、本実施形態に格別に限定されるものではなく、２個以上の要素を一体形成するなど、任意の構成が選択可能である。
【００３７】
さて、中間部材４１についてさらに具体的に説明する。中間部材４１は、略半月板状に形成されており、凹面４１ａを第１・第２の軸体２７,３４に向けた姿勢で、第１の外装部材２０および第２の外装部材３０に収納されている。凹面４１ａには、第１の軸体２７が挿入される上部軸筒４１ｂが設けられており、上部軸筒４１ｂの下方には、第２の軸体３４が挿入される下部軸筒４１ｃが設けられている。さらに、上部軸筒４１ｂには、後下方に向けて突出するストッパ４１ｄ（本発明にいう制限部材、係合部）が設けられている。中間部材４１は、本発明にいう第２の部材を構成するものであるから、本実施形態においては、制限部材（係合部、ストッパ４１ｄ）は、第２の部材に設けられていることになる。
【００３８】
続いて、第１のカバー部材４２（本発明にいうカバー部材）の構成をさらに詳細に説明する。
図４および図５に示すように、第１のカバー部材４２は、左右の側端に摺動部４２ｃを備えており、摺動部４２ｃは、第１のカバー部材４２の幅方向外方に突出する。一方、上部連結体２４には、摺動部４２ｃを上下に摺動させる摺動溝２９が設けられる。この摺動溝２９に摺動部４２ｃが係合することで、第１のカバー部材４２は、回転することなく安定した姿勢で、長穴４２ｂに沿って移動可能となる。
【００３９】
また、第１のカバー部材４２の内面において、左右の長穴４２ｂの間の、中間部材４１の上部軸筒４１ｂと対向する位置には、ストッパ受け部４２ｄ（本発明にいう被係合部）が設けられている。前述のとおり、中間部材４１の上部軸筒４１ｂには第１の軸体２７（第１の回動部材）が挿通され、本発明にいう連結部を構成しているので、ストッパ受け部４２ｄ、すなわち、本発明にいう被係合部は、連結部と対向する位置に設けられていることになる。
【００４０】
そして、ストッパ４１ｄは、脚部１４が略一直線状に延びた形態（膝関節が延びた状態）では、ストッパ受け部４２ｄに上から係合し（上から押さえ）、第１のカバー部材４２の上方への移動を制限している。すなわち、第１の部材（第１の外装部材２０）と、第２の部材（中間部材４１および第２の外装部材３０）が最も離間した状態（脚部１４が略一直線状に延びた形態（膝関節が延びた状態））のとき、ストッパ４１ｄはカバー部材（第１のカバー部材４２）の移動を制限する制限部材として機能しており、かつ、カバー部材（第１のカバー部材４２）の移動を制限するように被係合部（ストッパ受け部４２ｄ）と係合可能な係合部として機能している。
【００４１】
一方、第１の軸体２７を介して、第１の外装部材２０が、中間部材４１および第２の外装部材３０に対して回動して脚部１４が曲げられると、ストッパ４１ｄはストッパ受け部４２ｄから離れ、ストッパ受け部４２ｄは、解放される。すなわち、係合部（ストッパ４１ｄ）は、第１の部材（第１の外装部材２０）と第２の部材（中間部材４１および第２の外装部材３０）が最も離間した状態（脚部１４が略一直線上に伸びた形態（膝関節が延びた状態））から接近していく（脚部１４が曲げられていく）に応じて、被係合部（ストッパ受け部４２ｄ）から離間していくので、このことにより、カバー部材（第１のカバー部材４１）は長穴（長穴４２ｂ）の長さ方向に沿って移動可能となっている。そして、当然に、第１の部材（第１の外装部材２０）と第２の部材（中間部材４１および第２の外装部材３０）が最も接近した状態（脚部１４が最大まで曲げられた状態、本実施形態においては、図９に示すように第１の軸体２７、第２の軸体３４を介して、中間部材４１に対して第１の外装部材２０、第２の外装部材３０ともに略９０°回転した状態）でも当然に係合部（ストッパ４１ｄ）は被係合部（ストッパ受け部４２ｄ）から離間しているので、制限部材（ストッパ４１ｄ）はカバー部材（第１のカバー部材４２）の移動は制限しないようになっている。
【００４２】
なお、本実施形態には、第２の外装部材３０に、第３のカバー部材４４が取り付けられているが、これは本発明にいうカバー部材には相当するものではなく、したがって、以下のように構成にしてもよい。
【００４３】
図６に示すように、第２の外装部材３０の下部において、脛部本体３１の左右の側部に、前下方に傾斜する案内溝３１ａを設ける共に、第３のカバー部材４４に、案内溝３１ａに沿って摺動可能な凸部４４ａを設け、さらに第３のカバー部材４４を正規の位置に戻す、ねじりコイルばね５２を設ける。これにより、第３のカバー部材４４は、脛部本体３１から離間する方向（図中、矢印（１））に移動可能になる。なお、第３のカバー部材４４については第２の外装部材３０に固定とし、第２のカバー部材４３と第３のカバー部材４４の位置関係を、第２のカバー部材４３を中間部材４１とともに、第２の軸体３４を介して第２の外装部材３０に対して回動させたとしても、第３のカバー部材４３に干渉しないように、設定するようにしても良い。
【００４４】
以上、説明した本発明にかかる実施形態の作用について、図７〜図９に基づいて説明する。
図７において、脚部１４は、直立した状態である（本発明にいう「第１の部材と第２の部材が最も離間した状態」）。この状態では、ストッパ４１ｄ（係合部）がストッパ受け部４２ｄを押さえており（被係合部と係合しており）、そのため、第１のカバー部材４２は長穴４２ｂに沿って動くことはない（移動が制限されている）ので、人形体１０を振る等してもがたつくことが少なく、見栄えが良い。
【００４５】
さて、使用者が第１の外装部材２０に対して、第１の軸体２７を中心に第２の外装部材３０は矢印（２）、中間部材４１は矢印（３）の方向へと回動させる（本発明にいう「第１の部材と第２の部材が最も離間した状態から接近していく」）と、図８（Ａ）に示すように、ストッパ４１ｄ（本発明にいう制限部材、係合部）がストッパ受け部４２ｄ（本発明にいう被係合部）から離間していく（矢印（４））。これにより、ストッパ４１は第１のカバー部材４２（本発明にいうカバー部材）の移動を制限しなくなるため、第１のカバー部材４２は上方に移動可能となる。すなわち、第１のカバー部材４２は、第１の軸体２７が存在している連結部に対して移動可能になっている。そして、図８（Ｂ）に示すように、さらに第１の外装部材２０に中間部材４１および第２の外装部材３０を接近させていくと、第２のカバー部材４３（特に端部４３ａ）あるいは中間部材４１（特に下部軸筒４１ｃ）が、第１のカバー部材４２の下端に接触する。前述のとおり、ストッパ４１ｄは第１のカバー部材４２の移動を制限していないので、第１のカバー部材４２は中間部材４１あるいは第２のカバー部材４３と接触することによりその動きに従って、長穴４２ｂの長さ方向に沿って、第１の軸体２７から離れる方向へ移動する（矢印（５））。すなわち、カバー部材（第１のカバー部材４２）は、第２の部材（第２の部材を構成する中間部材４１、および、中間部材４１と一体となっている第２のカバー部材４３）との接触により、長穴４２ｂの長さ方向に沿って、連結部（第１の軸体２７が存在する部分）に対して移動可能となっている。
【００４６】
図９に示すように、中間部材４１がさらに回動すると、第１のカバー部材４２がさらに上方に移動し、上部軸筒４１cが第１のカバー部材４２をくぐり抜け、第１の外装部材２０と中間部材４１とがなす角度が約９０°となる位置まで、第１の外装部材２０に対して中間部材４１を動かすことができる。また、第２の外装部材３０は、第２の軸体３４を中心に第１の外装部材２０にさらに接近する方向へと回動させることが可能である。このことにより、人形体１０の脚部１４は大きく膝関節を曲げることができるようになっている。
【００４７】
以上の作用において、第２の軸体３４を中心とした第２の外装部材３０の回動操作は、中間部材４１の回動前、中間部材４１の回動過程、中間部材４１の回動後のいずれのタイミングで行われてもよい。また、図９において、第２のカバー部材４３が第１のカバー部材４２に当接するが、脛部本体３１は、第２のカバー部材４３とは独立して回動する（矢印（６））。したがって、第２のカバー部材４３と第１のカバー部材４２との当接が、第２の外装部材３０の回動を妨げることはない。
【００４８】
さらに、第３のカバー部材４４を移動可能に構成すれば、図９において、第３のカバー部材４４は、第１のカバー部材４２に干渉しても、第１のカバー部材４２から円滑に逃げる（矢印（７））。これにより、第２の外装部材３０を第１の外装部材２０に一層近接させることができる。
【００４９】
以上に述べた本実施形態によれば、従来に比べ、リンク機構等の複雑な機構を用いていないので、格段に構成が簡素化されており、それでいて、カバー部材（第１のカバー部材４２）が関節の回動を妨げないように円滑に移動させ、逃がすことができる。
【００５０】
また、脚部１４が直立した状態では、使用者による第１のカバー部材４２の移動が制限されているので、内部の連結機構の外部への露出を少なくすることができる。
【００５１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００５２】
たとえば、制限部材、係合部であるストッパ４１ｄを、中間部材４１、すなわち、第２の部材側に設けたが、これを第１の部材側に設けても良い。その場合、前述の実施形態において第１のカバー部材４２が第１の外装部材２０に対して相対的に回動可能とし（具体的には、第１のカバー部材４２は、摺動部４２ｃを第１の外装部材２０の摺動溝２９に係合させることによって、第１の外装部材２０に対して回転しないようになっているところ、この構成を無くす）、第１の部材と第２の部材とが最も離間した状態においては、第１のカバー部材４２の上端が第１の外装部材２０の縁部と接触し（この接触箇所が制限部材、係合部である）、移動が制限されるような位置関係にすれば良い。
【００５３】
また、たとえば、カバー部材を第１の部材に取り付け、カバー部材と第１の部材はともに連結部に対して移動可能となるようにしても良い。その場合、前述の実施形態において第１のカバー部材４２における第１の軸体２７を相通している長穴４２ｂという構成をなくし、代わりに、中間部材４１の上部軸筒４１ａを長穴形状とし、第１の軸体２７はこの中間部材４１の長穴に沿って移動可能とする。この構成であれば、第１の部材が第２の部材に対して接近し、第１のカバー部材４２が第２の部材と接触して押されると、第１のカバー部材４２に取り付けられた第１の外装部材２０（第１の部材）も中間部材４１の長穴に沿って移動することが可能となる。この場合、本発明いう連結部に相当するのは、中間部材４１の長穴の下端（つまり、第１の部材が第２の部材が最も離間した状態にあるときの第１の軸体２７の位置）となる。
【００５４】
また、たとえば、前述した実施形態においては、本発明に係る動作構造を人形の膝関節に用いたが、本発明に係る構造は、人形体の腕部の肘関節など、各部の関節に適用可能である。
【００５５】
さらにいえば、本発明に係る動作構造は人形体の関節以外の部分にも適用可能である。たとえば、カバー部材を人間の筋肉を表現したものとし、人形体の動作に応じてカバー部材が動くことで筋肉の動きを表現するようにしても良い。その
場合、カバー部材で表す筋肉を腹筋として、第１の部材を胸部、第２の部材を腰部とし、胸部と腰部を接近させることによる腹筋の動きを表現することも可能となる。
【００５６】
また、玩具体を甲冑を纏った人形体とし、カバー部材が甲冑を構成する部材を表現したものすれば、人形体の動きに応じた甲冑の動作を、カバー部材の動きによって表現することもできる。
【００５７】
また、当然ながら、人形体以外の玩具体に適用しても良い。たとえば、玩具体を昆虫とし、カバー部材を昆虫の外殻を表現したものとすれば、昆虫の動作に応じた外殻の動きをカバー部材の動きにより表現できる。
【符号の説明】
【００５８】
１０    人形体（玩具体）
２０    第１の外装部材（第１の部材）
２７    第１の軸体（第１の回動軸）
３０    第２の外装部材（末端部材）
３４    第２の軸体
４０    関節部
４１    中間部材
４１ａ  凹面
４１ｄ  ストッパ（制限部材、係合部）
４２    第１のカバー部材（カバー部材）
４２ｂ  長穴
４２ｄ  ストッパ受け部（被係合部）
【図１】
2013005948.tif 000003
【図２】
2013005948.tif 000004
【図３】
2013005948.tif 000005
【図４】
2013005948.tif 000006
【図５】
2013005948.tif 000007
【図６】
2013005948.tif 000008
【図７】
2013005948.tif 000009
【図８】
2013005948.tif 000010
【図９】
2013005948.tif 000011
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
玩具体における第１の部材と第２の部材の間に介在されるカバー部材の動作構造であって、
前記第１の部材および前記第２の部材を互いに接近、離間可能となるように連結している連結部と、
連結部に対向する位置に設けられるカバー部材と、
前記第１の部材と前記第２の部材が最も離間した状態のとき前記カバー部材の移動を制限可能な制限部材を備えてなり、
前記カバー部材は、前記第１の部材が前記第２の部材に対して接近したときには、前記第２の部材との接触により前記連結部に対して移動可能となっており、
前記第１の部材と前記第２の部材が最も接近した状態のとき前記制限部材は前記カバー部材の移動を制限しないことを特徴とする玩具体におけるカバー部材の動作構造。
【請求項２】
前記カバー部材には前記連結部と対向する位置に被係合部が設けられており、
前記制限部材は、前記第１の部材と前記第２の部材が最も離間した状態のとき、前記カバー部材の移動を制限可能なように前記被係合部と係合可能な係合部を有していることを特徴とする請求項１記載の玩具体におけるカバー部材の動作構造。
【請求項３】
前記係合部は、前記第１の部材と前記第２の部材が最も離間した状態から接近していくに応じて前記被係合部から離間していくことを特徴とする請求項２記載の玩具体におけるカバー部材の動作構造。
【請求項４】
前記制限部材は、前記第２の部材に設けられていることを特徴とする請求項１乃至３のいずれか１項に記載の玩具体におけるカバー部材の動作構造。
【請求項５】
前記制限部材は、前記第１の部材に設けられていることを特徴とする請求項１乃至３のいずれか1項に記載の玩具体におけるカバー部材の動作構造。
【請求項６】
前記第１の部材の端部は、前記連結部にて前記第２の部材に対して第１の回動軸を介して連結されており、前記カバー部材は前記第１の回動軸に対して移動可能に取り付けられていることを特徴とする請求項１乃至５のいずれか１項に記載の玩具体におけるカバー部材の動作構造。
【請求項７】
前記カバー部材には前記第１の回動軸に嵌合する長穴が設けられており、前記カバー部材は、前記第１の部材が前記第２の部材に対して接近したときには、前記長穴の長さ方向に沿って移動可能となっているものであることを特徴とする請求項６記載の玩具体におけるカバー部材の動作構造。
【請求項８】
前記カバー部材は前記第１の部材に取り付けられており、
前記第１の部材または前記カバー部材の少なくともいずれか一方には被係合部が設けられており、
前記制限部材は、前記第１の部材と前記第２の部材が最も離間した状態のとき、前記カバー部材の移動を制限可能なように前記被係合部と係合可能な係合部を有しており、
前記第１の部材は、前記第１の部材が前記第２の部材に対して接近したときには、前記カバー部材と前記第２の部材との接触により、前記カバー部材とともに前記連結部に対して移動可能となっていることを特徴する請求項１記載の玩具体におけるカバー部材の動作構造。
【請求項９】
前記係合部は、前記第１の部材と前記第２の部材が最も離間した状態から接近していくに応じて前記被係合部から離間していくことを特徴とする請求項８記載の玩具体におけるカバー部材の動作構造。
【請求項１０】
前記制限部材は、前記第２の部材に設けられていることを特徴とする請求項８乃至９のいずれか１項に記載の玩具体におけるカバー部材の動作構造。
【請求項１１】
前記制限部材は、前記第１の部材に設けられていることを特徴とする請求項８乃至９のいずれか１項に記載の玩具体におけるカバー部材の動作構造。
【請求項１２】
前記第２の部材は、前記連結部として前記第１の部材の端部と回動可能に連結された中間部材と、その端部が前記中間部材に対して回動可能に連結された末端部材からなり、前記カバー部材は前記中間部材と対向する位置に設けられていることを特徴とする請求項１乃至１１のいずれか１項に記載の玩具体におけるカバー部材の動作構造。
【請求項１３】
請求項１乃至１２のいずれか１項に記載のカバー部材の動作構造を備えた玩具体。
【請求項１４】
前記玩具体は人形体であり、請求項１乃至１２のいずれか１項に記載の玩具体におけるカバー部材の動作構造が当該人形体の関節部に設けられていることを特徴とする請求項１３記載の玩具体。
【手続補正２】
【補正対象書類名】明細書
【補正対象項目名】０００９
【補正方法】変更
【補正の内容】
【０００９】
本発明は、玩具体における第１の部材と第２の部材の間に介在されるカバー部材の動作構造であって、前記第１の部材および前記第２の部材を互いに接近、離間可能となるように連結している連結部と、連結部に対向する位置に設けられるカバー部材と、を備えてなり、前記カバー部材は、前記第１の部材が前記第２の部材に対して接近したときには、前記第２の部材との接触により前記連結部に対して移動可能となっているものであることを特徴とする。また、本発明は、玩具体における第１の部材と第２の部材の間に介在されるカバー部材の動作構造であって、前記第１の部材および前記第２の部材を互いに接近、離間可能となるように連結している連結部と、連結部に対向する位置に設けられるカバー部材と、前記第１の部材と前記第２の部材が最も離間した状態のとき前記カバー部材の移動を制限可能な制限部材を備えてなり、前記カバー部材は、前記第１の部材が前記第２の部材に対して接近したときには、前記第２の部材との接触により前記連結部に対して移動可能となっており、前記第１の部材と前記第２の部材が最も接近した状態のとき前記制限部材は前記カバー部材の移動を制限しないことを特徴とする。